(57)【要約】【課題】端末装置等の所定操作を特別の条件が整った状態でのみ実行許可するような機能設定装置を提供する。【解決手段】端末装置であるＩＣレコーダ２０の特定スイッチに特定の機能を割り当てる機能カスタマイズを行う端末操作装置としてのＰＣ（パーソナルコンピュータ）３０は、ＩＣレコーダ２０のうち、鍵ＩＤを有する特定のＩＣレコーダを用いることによってのみカスタマイズ用ソフトウエアをインストールし、かつ、該ソフトウエアを起動することができ、そのソフトウエアを起動することによって、特定のＩＣレコーダ以外の鍵ＩＤを有していないＩＣレコーダ２０の機能カスタマイズを行うことができる。したがって、ＰＣ３０によると専用の電子キー等をを用いることなく、特定のＩＣレコーダを持ったディラー等に限定した状態でＩＣレコーダの機能カスタマイズを行うことが可能となる。【選択図】図１
2005301834.tif 000002
【特許請求の範囲】
【請求項１】
携帯情報端末装置と接続して上記携帯情報端末装置に対する所定操作を行う端末操作装置において、
上記携帯情報端末装置と接続し通信を行う通信手段と、
上記通信手段を介して上記携帯情報端末装置に対する所定操作を行う端末操作手段と、
上記接続された携帯情報端末装置に所定の鍵情報があるか否かを検出する鍵情報検出手段と、
上記鍵情報検出手段により上記所定の鍵情報が検出された場合には上記携帯情報端末装置に対する所定操作を許可し、上記鍵情報検出手段により上記所定の鍵情報が検出されなかった場合には上記携帯情報端末装置に対する所定操作を禁止するよう制御する制御手段と、
を具備することを特徴とする端末操作装置。
【請求項２】
上記鍵情報検出手段は、上記端末操作装置の起動のとき、あるいは上記携帯情報端末装置が上記端末操作装置に接続されたときに上記所定の鍵情報の有無を検出し、
上記制御手段は、上記鍵情報検出手段により上記所定の鍵情報が検出された場合には、それ以降上記端末操作装置を停止させるまで上記端末操作手段による所定操作を行うことを許可することを特徴とする請求項１に記載の端末操作装置。
【請求項３】
上記制御手段は、上記鍵情報検出手段により上記所定の鍵情報が検出されたときには、上記所定の鍵情報を有する携帯情報端末装置の接続を解除し、他の携帯情報端末装置を接続した場合でも、上記他の携帯情報端末装置に対して上記端末操作手段による所定操作を行うことを許可することを特徴とする請求項２に記載の端末操作装置。
【請求項４】
コンピュータに接続された携帯情報端末装置に対する所定操作をコンピュータに行わせる端末操作ソフトウェアにおいて、
上記端末操作ソフトウェアは、コンピュータに、
上記携帯情報端末装置と接続し、通信を行わせ、
上記接続された携帯情報端末装置に所定の鍵情報があるか否かを検出させ、
上記所定の鍵情報が検出された場合には上記携帯情報端末装置に対する所定操作を行わせ、
上記所定の鍵情報が検出されなかった場合には上記携帯情報端末装置に対する所定操作を禁止させることを特徴とする端末操作ソフトウェア。
【請求項５】
上記端末操作ソフトウェアは、コンピュータに、
上記端末操作ソフトウェアの起動のとき、あるいは上記携帯情報端末装置が上記コンピュータに接続されたときに上記所定の鍵情報の有無を検出させ、
上記携帯情報端末装置に上記所定の鍵情報が検出された場合には、それ以降、上記端末操作ソフトウェアを終了させるまで上記所定操作を行わせることを許可させることを特徴とする請求項４に記載の端末操作ソフトウェア。
【請求項６】
上記端末操作ソフトウェアは、コンピュータに、
上記端末操作ソフトウェアを上記コンピュータにインストールするときに上記接続された携帯情報端末装置の鍵情報を読み出せ、
上記鍵情報を読み出すことができた場合には上記鍵情報を上記コンピュータ内に格納するとともに上記インストールを行わせ、
上記鍵情報が読み出せなかった場合には上記インストールを中止させることを特徴とする請求項４、または、５に記載の端末操作ソフトウェア。
【請求項７】
上記端末操作ソフトウェアは、コンピュータに、
上記コンピュータ内に格納されている鍵情報と上記接続された携帯情報端末装置の鍵情報と比較させ、
上記鍵情報が一致したときには上記携帯情報端末装置に対する所定操作を行わせ、
上記鍵情報が一致しなかったときには上記携帯情報端末装置に対する所定操作を禁止させることを特徴とする請求項６に記載の端末操作ソフトウェア。
【請求項８】
上記端末操作ソフトウェアはコンピュータに、
上記端末操作ソフトウェア起動のとき、あるいは、上記携帯情報端末装置が上記コンピュータに接続されたときに上記コンピュータ内に格納されている鍵情報と上記接続された携帯情報端末装置の鍵情報とを比較させ、
上記鍵情報が一致したときにはそれ以降、上記端末操作ソフトウェアを終了させるまで上記所定操作を行わせることを許可させることを特徴とする請求項６に記載の端末操作ソフトウェア。
【発明の詳細な説明】
【技術分野】
【０００１】
本発明は、端末装置に対して所定操作を行うための端末操作装置および端末操作ソフトウェアに関する。
【背景技術】
【０００２】
従来、携帯電話等の電子装置（携帯端末装置）にてメニューの内容等をユーザーがカスタマイズ（端末操作）可能なものに関して特許文献１に開示の電子装置は、調節可能なパラメータを使用してユーザーによって適合され得るメニュー要素によって形成されるメニューを記憶するメモリと、スクリーン上に該メニューを表示するディスプレイ装置と、該メニューのディスプレイ状態をカスタマイズするカスタマイズユニットとからなるスクリーンを有している。この電子装置においては、カスタマイズのためのメモリ容量の節約が可能であり、かつ、簡単な操作によるカスタマイズが可能である。
【特許文献１】特許文献１は、特開平１０−１６１８３２号公報である。
【発明の開示】
【発明が解決しようとする課題】
【０００３】
上述した特許文献１による電子装置は、カスタマイズ操作をユーザー自身が行うようにし、簡単操作による機能の実現やそのためのリソースの節約を目的としているので、カスタマイズ機能そのものを特別な操作と位置づけて条件が整ったときのみカスタマイズ機能を実行可能とするためのものではない。
【０００４】
本発明は、上述の問題を解決するためになされたものであり、端末装置等に対する所定操作を特別の条件が整った状態で実行する端末操作装置、または、端末操作ソフトウェアを提供することを目的とする。
【課題を解決するための手段】
【０００５】
本発明の請求項１記載の端末操作装置は、携帯情報端末装置と接続して上記携帯情報端末装置に対する所定操作を行う端末操作装置において、上記携帯情報端末装置と接続し通信を行う通信手段と、上記通信手段を介して上記携帯情報端末装置に対する所定操作を行う端末操作手段と、上記接続された携帯情報端末装置に所定の鍵情報があるか否かを検出する鍵情報検出手段と、上記鍵情報検出手段により上記所定の鍵情報が検出された場合には上記携帯情報端末装置に対する所定操作を許可し、上記鍵情報検出手段により上記所定の鍵情報が検出されなかった場合には上記携帯情報端末装置に対する所定操作を禁止するよう制御する制御手段とを具備する。
【０００６】
本発明の請求項２記載の端末操作装置は、請求項１に記載の端末操作装置において、上記鍵情報検出手段は、上記端末操作装置の起動のとき、あるいは上記携帯情報端末装置が上記端末操作装置に接続されたときに上記所定の鍵情報の有無を検出し、上記制御手段は、上記鍵情報検出手段により上記所定の鍵情報が検出された場合には、それ以降上記端末操作装置を停止させるまで上記端末操作手段による所定操作を行うことを許可する。
【０００７】
本発明の請求項３記載の端末操作装置は、請求項２に記載の端末操作装置において、上記制御手段は、上記鍵情報検出手段により上記所定の鍵情報が検出されたときには、上記所定の鍵情報を有する携帯情報端末装置の接続を解除し、他の携帯情報端末装置を接続した場合でも、上記他の携帯情報端末装置に対して上記端末操作手段による所定操作を行うことを許可する。
【０００８】
本発明の請求項４記載の端末操作ソフトウェアは、コンピュータに接続された携帯情報端末装置に対する所定操作をコンピュータに行わせる端末操作ソフトウェアにおいて、コンピュータに対して上記携帯情報端末装置と接続し、通信を行わせ、上記接続された携帯情報端末装置に所定の鍵情報があるか否かを検出させ、上記所定の鍵情報が検出された場合には上記携帯情報端末装置に対する所定操作を行わせ、上記所定の鍵情報が検出されなかった場合には上記携帯情報端末装置に対する所定操作を禁止させる。
【０００９】
本発明の請求項５記載の端末操作ソフトウェアは、請求項４に記載の端末操作ソフトウェアにおいて、コンピュータに対して上記端末操作ソフトウェアの起動のとき、あるいは上記携帯情報端末装置が上記コンピュータに接続されたときに上記所定の鍵情報の有無を検出させ、上記携帯情報端末装置に上記所定の鍵情報が検出された場合には、それ以降、上記端末操作ソフトウェアを終了させるまで上記所定操作を行わせることを許可させる。
【００１０】
本発明の請求項６記載の端末操作ソフトウェアは、請求項４、または、５に記載の端末操作ソフトウェアにおいて、コンピュータに対して上記端末操作ソフトウェアを上記コンピュータにインストールするときに上記接続された携帯情報端末装置の鍵情報を読み出せ、上記鍵情報を読み出すことができた場合には上記鍵情報を上記コンピュータ内に格納するとともに上記インストールを行わせ、上記鍵情報が読み出せなかった場合には上記インストールを中止させる。
【００１１】
本発明の請求項７記載の端末操作ソフトウェアは、請求項６に記載の端末操作ソフトウェアにおいて、コンピュータに対して上記コンピュータ内に格納されている鍵情報と上記接続された携帯情報端末装置の鍵情報と比較させ、上記鍵情報が一致したときには上記携帯情報端末装置に対する所定操作を行わせ、上記鍵情報が一致しなかったときには上記携帯情報端末装置に対する所定操作を禁止させる。
【００１２】
本発明の請求項８記載の端末操作ソフトウェアは、請求項６に記載の端末操作ソフトウェアにおいて、上記端末操作ソフトウェアはコンピュータに、上記端末操作ソフトウェア起動のとき、あるいは、上記携帯情報端末装置が上記コンピュータに接続されたときに上記コンピュータ内に格納されている鍵情報と上記接続された携帯情報端末装置の鍵情報とを比較させ、上記鍵情報が一致したときにはそれ以降、上記端末操作ソフトウェアを終了させるまで上記所定操作を行わせることを許可させる。
【発明の効果】
【００１３】
本発明によれば、携帯情報端末装置に対する所定操作を行う際に特別の条件が整った状態で実行する端末操作装置、または、端末操作ソフトウェアを提供することができる。
【発明を実施するための最良の形態】
【００１４】
以下、図を用いて本発明の実施形態について説明する。  
図１は、本発明の一実施形態である端末操作装置としてのコンピュータ装置であるパーソナルコンピュータ（以下、ＰＣと記載する）に携帯記録端末装置であるＩＣレコーダがＵＳＢ接続された状態を示す図である。図２は、上記ＩＣレコーダのブロック構成図である。図３は、上記ＩＣレコーダに内蔵されるシステム制御部の内部メモリ部のメモリマップを示す図である。
【００１５】
本実施形態のＰＣ３０は、図１に示すようにＩＣレコーダ２０が通信可能に接続されるコンピュータ装置であり、コンピュータ全体を制御する制御手段である制御部３０ａと、ＩＣレコーダとＵＳＢによる通信を行う通信手段の外部通信回路３０ｂが設けられる。
【００１６】
上記制御部３０ａは、ＩＣレコーダ２０と接続し通信を行う通信制御手段と、ＩＣレコーダ２０の機能の設定、すなわち、端末に対する所定操作の一例であるカスタマイズを行う端末操作手段と、上記接続された特定のＩＣレコーダ２０に所定の鍵情報である鍵ＩＤがあるか否かを検出する鍵情報検出手段と、上記鍵情報検出手段により上記所定の鍵ＩＤが検出された場合には他のＩＣレコーダ２０に対する所定操作を許可し、上記鍵情報検出手段により上記所定の鍵ＩＤが検出されなかった場合には他のＩＣレコーダ２０に対する所定操作を禁止するよう制御する制御手段とを有する。
【００１７】
上記ＰＣ３０の制御部３０ａにはカスタマイズソフトウエアがインストールされ、そのソフトウエアのもとで上記制御部３０ａに内蔵される各制御手段が動作し、ＩＣレコーダ２０に対して上記カスタマイズ処理を行うことができる。そして、ＰＣ３０は、カスタマイズされたＩＣレコーダ２０より音声データを上記通信手段を介して取り込み、トランスクリックションソフトウエアによる音声データの文字起こしを行うことができる。
【００１８】
上記ＩＣレコーダ２０は、着脱自在の記録媒体（フラッシュメモリカード）に音声データを記録（録音）し、また、再生することが可能な携帯情報端末装置であり、例えば、機種名としてＤＳ−４０００が付されているものとする。ＩＣレコーダ２０は、後述するREC SW等の操作スイッチの他に特にカスタマイズされた特定機能操作が可能な特定機能操作スイッチが設けられる。
【００１９】
ＩＣレコーダ２０には、内部メモリ６ａ（図２）に特定の鍵情報である鍵ＩＤが登録されている特定のＩＣレコーダ２０と、鍵ＩＤが登録されていない他のＩＣレコーダ２０が存在するものとする。上記他のＩＣレコーダ２０は、ディーラー等において上記特定のＩＣレコーダ２０が備えられている条件のもとでＰＣ３０によって上記特定の機能を設定するカスタマイズが可能である。上記特定のＩＣレコーダ２０の鍵ＩＤ情報は、出荷時に記録され、書き換え不可とする。
【００２０】
上記ＩＣレコーダ２０は、図２に示すようにＩＣレコーダ全体の制御の制御を司るＣＰＵを有してなる制御手段としてのシステム制御部６と、記録、または、再生時の音声信号処理を行うデジタル信号処理部（ＤＳＰ）５と、内蔵マイクロホン（以下、マイクロホンは、マイクと記載する）１と、内蔵マイク１または外部リモコンマイクのいずれかを選択する切り替えスイッチ１６と、マイクの音声出力信号を増幅するマイクアンプ（ＡＭＰ）２と、入力側ローパスフィルタであるＬＰＦ３と、入力側Ａ／Ｄコンバータ４と、再生側Ｄ／Ａコンバータ１２と、再生側ローパスフィルタであるＬＰＦ１３と、再生音声信号を増幅するパワーアンプ（ＡＭＰ）１４と、スピーカ１５と、ＬＣＤ表示器１０と、ＬＣＤ表示器１０を駆動するためのＬＣＤ駆動回路９と、入力された音声データを記録するためのフラシュメモリカードからなる着脱自在の記録媒体８と、操作スイッチ群７と、外部装置、例えば、ＰＣ３０との通信を行うための外部通信回路（ＵＳＢ）１７と、該外部通信回路１７に接続するためのＵＳＢ端子部１８（図１）等を有してなる。
【００２１】
内蔵マイク１は、音声を電気信号に変換する。マイクアンプ２は、内蔵マイク１、または、外部リモコンマイクからの電気信号を増幅する。
【００２２】
ＬＰＦ３、または、１３は、ノイズの発生を防止するために不要な周波数帯域をカットする。Ａ／Ｄコンバータ４、または、Ｄ／Ａコンバータ１２は、入力される音声信号（アナログ信号）をデジタル信号に、または、デジタル信号をアナログ信号にそれぞれ変換する。
【００２３】
デジタル信号処理部５は、システム制御部６に制御され、録音時にはＡ／Ｄコンバータ４でデジタル信号に変換された音声信号の符号化処理を行い、また、再生時には符号化された音声データの復号化処理を行って、該音声データをＤ／Ａコンバータ１２に出力する。
【００２４】
Ｄ／Ａコンバータ１２は、入力されるデジタル信号をアナログ信号に変換する。パワーアンプ１４は、音声信号を増幅し、スピーカ１５は、この音声信号を音声に変換して放音する。
【００２５】
システム制御部６にはデジタル信号処理部５の他に記録媒体８と、ＬＣＤ駆動回路９と、ＬＣＤ表示器１０と、操作スイッチ群７との制御信号線が接続され、さらに、切り替えスイッチ１６を切り変え制御するための切り替え信号線等が接続されている。そして、システム制御部６は、音声データを記録媒体８に記録するための記録制御手段と、記録媒体８に記録された音声データを再生するための再生制御手段と、ＵＢＳ接続されたＰＣ３０に対して記録媒体８の記録された音声データを転送するための送信制御手段とを有している。さらに、システム制御部６は、フラシュメモリからなる内部メモリ６ａを有しており、該内部メモリ６ａのメモリ領域４０として、図３に示すようにＩＣレコーダ２０を制御するための各種プログラム情報が記録されるプログラム領域４０ａと、音声データを記録する情報記録領域４０ｂと、ＩＣレコーダを特定するための鍵ＩＤ記憶領域４０ｃ等が設けられている。
【００２６】
上記特定のＩＣレコーダ２０には鍵ＩＤ記憶領域４０ｃに所定の単一、または、複数の中から指定された鍵ＩＤが登録されているが、他の一般のＩＣレコーダ２０には鍵ＩＤは登録されていない。
【００２７】
記録媒体８には、音声データの他にファイルヘッダ中にユーザーＩＤ、録音モードの選択設定、ＢＥＥＰ音の選択設定、音声起動録音の選択設定、データの再生位置等、システム制御部６に電源が供給されなくなっても記憶しておきたい各種設定、パラメータ等が記録される。なお、上記音声データには、非音声データ、例えば、画像データや数値データ等が混在することもあり得る。
【００２８】
ＬＣＤ表示器１０は、システム制御部６を介して駆動制御されるＬＣＤ駆動回路９により操作スイッチ群７のいずれかのスイッチ操作により、所定のシーケンス動作を開始したときのレコーダの動作状態の情報を文字、または、記号を用いて表示し、また、記録を行っている間は、記録中であることの表示を行う。
【００２９】
操作スイッチ群７は、各種機能を制御するための操作スイッチ群であり、レコーダの外装部に設けられる各対応操作釦の操作によりオンオフされるスイッチ群であり、そのスイッチ群は、録音を開始させるための録音スイッチ（REC SW、以下、スイッチは、SWと記載する）７ａ，記録媒体８に記録された音声データを再生するための再生スイッチ（PLAY SW）７ｂ，記録、または、再生を停止させるための停止スイッチ（STOP SW）７ｃ，ファイル編集時、記録媒体８上の音声データファイル上の指定位置を変更したり、上記音声データファイルを選択するための早送りスイッチ（FF SW）７ｄおよび早戻しスイッチ（REW SW）７ｅ，メニュースイッチ（MENU SW）７ｆと、特定機能操作スイッチであるA SW７ｇ，B SW７ｈとからなる。
【００３０】
上記A SW７ｇ，B SW７ｈには、カスタマイズによってそれぞれ１つの機能が割付可能である。その機能としては、メニュースイッチによって選択可能な機能、および、それ以外の機能の中から選択されてカスタマイズされた機能、あるいは、初期設定された機能である。例えば、インデックス記録機能，フォルダ切り替え機能，レコーディングモード切り替え機能，マイクロフォン感度切り替え機能，ＶＣＶＡ切り換え機能，ディスプレイ切り替え機能，プライオリティ切り替え機能，ディザブル機能等にカスタマイズ可能である。このA SW７ｇ，B SW７ｈに割り当てる特定機能のカスタマイズ動作については、後で説明する。
【００３１】
上述した構成を有するＩＣレコーダ２０において、内蔵マイク１を介して取り込まれた音声データは、システム制御部６の制御のもとで装着されている記録媒体８に単一、または、複数の音声データファイルとして記録（録音）される。記録された音声データファイルは、システム制御部６の制御のもとで再生が可能である。ＩＣレコーダ２０を図２に示すようにＵＳＢ端子部１８，１９を介してＰＣ３０の外部通信回路部（ＵＳＢ）３０ａに接続すると（または、クレードルを介して接続）、システム制御部６の制御によって記録媒体８上の音声データファイルがＰＣ３０の所定のメモリ部に転送される。
【００３２】
次に、上述したＩＣレコーダ２０における録音等の制御処理動作のメインルーチン、および、メインルーチン等で呼び出されるサブルーチン「ＵＳＢ通信モード」について図４，５を用いて説明する。◎  図４は、上記メインルーチンのフローチャートであり、図５は、上記メインルーチンで呼び出されるサブルーチン「ＵＳＢ通信モード」のフローチャートである。
【００３３】
上記メインルーチンをはじめサブルーチン「ＲＥＣモード」等の処理は、システム制御部６の制御のもとで実行されるものとする。
【００３４】
上記メインルーチンにおいては、図４に示すようにまず、ステップＳ０１においてＩＣレコーダ２０内の各制御要素の初期設定が行われる。ステップＳ０２にて操作スイッチ群７の状態の変化（オン）をチェックし、変化が検出された場合、ステップＳ０３以下、ステップＳ０９に進む。
【００３５】
詳しくは、操作スイッチ群７のうち、REC SW７ａがオンされた場合、ステップＳ１１にジャンプしてサブルーチン「ＲＥＣモード」が呼び出され、録音処理が実行される。PLAY SW７ｂがオンされた場合、ステップＳ１２にジャンプしてサブルーチン「ＰＬＡＹ  モード」が呼び出され、再生処理が実行される。FF SW７ｄがオンされた場合、ステップＳ１３にジャンプしてサブルーチン「ＦＦモード」が呼び出され、早送り処理が実行される。REW SW７ｅがオンされた場合、ステップＳ１４にジャンプしてサブルーチン「ＲＥＷモード」が呼び出され、早戻し処理が実行される。MENU SW７ｆがオンされた場合、ステップＳ１５にジャンプしてサブルーチン「メニュー設定モード」が呼び出され、メニュー設定処理が実行される。
【００３６】
さらに、A SW７ｇがオンされた場合、サブルーチン「Ａ機能モード」が呼び出され、上記カスタマイズされた１つの特定機能の処理が実行される。B SW７ｈがオンされた場合、サブルーチン「Ｂ機能モード」が呼び出され、上記カスタマイズされた別の１つの特定機能の処理が実行される。
【００３７】
ステップＳ１０にてＵＳＢ接続状態がチェックされ、ＰＣ３０が接続されたと判定されれば、ステップＳ１８に進み、図５に示すサブルーチン「ＵＳＢ通信モード」が呼び出され、該処理が実行される。この処理は、制御部６とＰＣ３０側の制御部３０ａとが協働して制御される。
【００３８】
サブルーチン「ＵＳＢ通信モード」の処理においては、まず、ステップＳ２１にてＵＳＢ通信終了をチェックして、終了ではない場合、ステップＳ２２に進み、ＰＣ３０側から通常のデータ転送が要求されているかチェックし、該データ転送が要求されていれば、ステップＳ２５にジャンプしてサブルーチン「データ送受信処理」が呼び出され、該処理が実行される。通常のデータ転送が要求されていなければ、ステップＳ２３に進み、ＰＣ３０側から鍵ＩＤの送信要求がなされているかチェックし、鍵ＩＤの送信要求がなされていれば、ステップＳ２４に進み、ＩＣレコーダ２０の内部メモリ６ａの鍵ＩＤ領域にあるデータをＰＣ３０側に送信する。
【００３９】
上記各モード実行後は、ステップＳ０３に戻る。
【００４０】
次にＰＣ３０によるＩＣレコーダの機能のカスタマイズ処理動作について説明する。  
上記カスタマイズ処理は、カスタマイズソフトウエアをＰＣ３０にインストールして、該ソフトウエアによるプログラムに従ってなされる。該プログラムのインストールと、立ち上げは、鍵ＩＤを有している特定のＩＣレコーダ２０がＰＣ３０とＵＳＢ接続された状態でのみ実行が許可される。すなわち、鍵ＩＤを有している特定のＩＣレコーダ２０をＰＣ３０にＵＳＢ接続し、ＩＣレコーダ２０の内部メモリ部６ａの鍵ＩＤ領域に記録されているＩＤ鍵データをＰＣ３０側で受信する。その鍵ＩＤが確認されれば上記カスタマイズソフトウエアがインストールが許可され、続いて、上記カスタマイズソフトウエアによるプログラムが立ち上げられる。しかし、上記インストールの段階でＩＣレコーダ２０の所定の鍵ＩＤが確認されない状態、例えば、鍵ＩＤを持たない特定以外の他のＩＣレコーダ２０がＵＳＢ接続されたとしても上記カスタマイズソフトウエアは、インストールが許可されず、上記プログラムも立ち上げることができない。
【００４１】
上記プログラムの立ち上げ後、特定のＩＣレコーダ以外の一般のＩＤレコーダ２０をＰＣ３０にＵＳＢ接続すると、ＰＣ３０側でカスタマイズソフトウエアの処理のもとでカスタマイズ機能の設定が実行される。そのカスタマイズ処理では、ＩＣレコーダカスタマイズ機能情報に基づいてカスタマイズ機能のＡ機能およびＢ機能を選択する。該選択されたカスタマイズ機能をA SW７ｇ、あるいは、B SW７ｈに割り当てるべく、該カスタマイズ情報を上記ＩＣレコーダ２０側に送信し、登録するとＩＣレコーダ２０のカスタマイズが終了する。
【００４２】
上記カスタマイズソフトウエアのインストール処理と該ソフトウェアによるカスタマイズ起動処理について図６，７，８等を参照にして説明する。  
図６は、上記カスタマイズソフトウエアのインストール処理のフローチャートであり、図７，８は、上記ソフトウェアによるカスタマイズ処理のフローチャートである。
【００４３】
上記カスタマイズソフトウエアのインストール処理およびカスタマイズ起動処理は、共にＰＣ３０側の制御部３０ａの制御のもとでＩＣレコーダ２０のシステム制御部６と協働して実行される処理である。
【００４４】
まず、図６のインストール処理においては、ステップＳ３１にてカスタマイズソフトウエアのインストールの要求がなされていることを確認して、ステップＳ３２に進む。ステップＳ３２では、ＩＣレコーダ２０の機種名であるＤＳ−４０００がＵＳＢデバイスとしてＰＣ３０側に認識されているかチェックし、ＤＳ−４０００が認識されれば、ステップＳ３３に進む。認識されなければ、ステップＳ３７にてＩＣレコーダ２０であるＤＳ−４０００の接続要求をモニタに表示し、本ルーチンを終わる。
【００４５】
ステップＳ３３では、接続されているＩＣレコーダ２０の鍵ＩＤの取得処理が行われる。すなわち、ＩＣレコーダ２０の内部メモリ部６ａの鍵ＩＤ領域に記録されているデータを通信により取り込まれる（通信制御手段，通信手段による動作）。この処理でＩＣレコーダ側では、図５のサブルーチン「ＵＳＢ通信モード処理」が呼び出され、鍵ＩＤ領域に記録されているＩＤ情報をＰＣ３０側に送信する。ステップＳ３４で上記受信された鍵ＩＤ領域のデータが規定の鍵ＩＤであるかどうかチェックする（鍵情報検出手段による動作）。接続されたＩＣレコーダ２０が上記特定のＩＣレコーダであって、受信したデータが規定の鍵ＩＤであれば、ステップＳ３５に進むが、規定の鍵ＩＤでなければ、ステップＳ３８にジャンプして、規定の鍵ＩＤをもったＩＣレコーダ２０であるＤＳ−４０００の接続要求をモニタに表示し、本ルーチンを終了する（所定操作を禁止する制御手段による動作）。
【００４６】
規定の鍵ＩＤが検出され、ステップＳ３５に進んだ場合、上記カスタマイズソフトウエアのインストールを実行し（所定操作を許容する制御手段による動作）、ステップＳ３６に進み、上記鍵ＩＤをＰＣ３０に登録して本ルーチンを終了する。
【００４７】
上記カスタマイズソフトウエアのインストールに続いて実行される図７，８のカスタマイズソフトウエア起動処理においては、ステップＳ４１にて該ソフトウエアの起動要求を確認して、ステップＳ４２に進む。ステップＳ４２では、ＩＣレコーダ２０であるＤＳ−４０００がＰＣ３０に接続され、ＵＳＢデバイスとして認識されているかチェックし、認識されれば、ステップＳ４３に進む。認識されなければ、ステップＳ４７にてＩＣレコーダ２０であるＤＳ−４０００の接続要求をモニタに表示し、ステップＳ４１に戻る。
【００４８】
ステップＳ４３では、接続されているＩＣレコーダ２０の鍵ＩＤの取得処理が行われる（通信制御手段，通信手段による動作）。ステップＳ４４では、上記受信された鍵ＩＤ領域のデータが規定の鍵ＩＤであるかどうかチェックする（鍵情報検出手段による動作）。接続されたＩＣレコーダ２０が上記特定のＩＣレコーダであって、受信したデータが規定を満足する鍵ＩＤであれば、ステップＳ４５に進むが、該鍵ＩＤでなければ、ステップＳ４８にジャンプして、規定の鍵ＩＤをもったＩＣレコーダ２０であるＤＳ−４０００の接続要求をモニタに表示し、ステップＳ４１に戻る（所定操作を禁止する制御手段による動作）。
【００４９】
ステップＳ４５では、上記受信した鍵ＩＤがすでにＰＣ３０に登録済みのＩＤと一致するかチェックし、一致しいれば、そのままステップＳ４６に進み、インストール済みのカスタマイズソフトウエアを起動させる。一致していなければ、ステップＳ４９にジャンプしてＰＣ３０に受信した鍵ＩＤを新鍵ＩＤとして登録するかを確認して、ステップＳ５０にて新鍵ＩＤとして登録する。その後、上記ステップＳ４６に進む。但し、鍵ＩＤの登録処理において、単一の鍵ＩＤのみを認め、上記他の鍵ＩＤではプログラムを起動させないように制御する方式も採用可能である。
【００５０】
そこで、特定以外のＩＣレコーダであって、鍵ＩＤを持たないカスタマイズするべきＩＣレコーダ２０をＰＣ３０にＵＳＢ接続する。そして、ステップＳ５１で接続されたＩＣレコーダ２０であるＤＳ−４０００がＵＳＢデバイスとして認識されているかチェックし、認識されれば、ステップＳ５２に進む。認識されなければ、ステップＳ５８にてＩＣレコーダ２０であるＤＳ−４０００の接続要求をモニタに表示し、ステップＳ５１に戻る。
【００５１】
ステップＳ５２では、カスタマイズ情報を取得することを確認してステップＳ５３に進み、ＩＣレコーダ２０側のカスタマイズ機能情報を取得する。ステップＳ５４にて上記ＩＣレコーダのカスタマイズ機能情報に基づき、カスタマイズ機能のＡ機能およびＢ機能を選択し、設定する。この選択設定は、ＰＣ３０側のモニタ、または、ＩＣレコーダ３０側のモニタに設定可能な各種機能を表示させ、その中から使用者が選択する方法で行われる。
【００５２】
上記ステップＳ５４で選択されたカスタマイズ機能をA SW７ｇ、あるいは、B SW７ｈに割り当てるべく、ステップＳ５５にて接続されているＩＣレコーダ２０側に上記設定カスタマイズ情報を転送する要求を出し、ステップＳ５６にてＩＣレコーダ２０に上記カスタマイズ機能を登録する。ステップＳ５７にて本プログラム終了選択を確認して、終了が選択されれば、本ルーチンを終了する。終了が選択されなければ、ステップＳ５１に戻る。
【００５３】
以上、説明した本実施形態の携帯情報端末装置であるＩＣレコーダ２０が接続可能な端末操作装置としてのＰＣ３０によれば、ＩＣレコーダの機能の設定を特別の条件が整った状態、すなわち、所定の鍵ＩＤが記録された特定のＩＣレコーダを持っている者（ディーラー等）によってのみ、ＩＣレコーダの機能のカスタマイズを実行することができる。具体的には、そのカスタマイズを実行するためのカスタマイズソフトウエアは、特定のＩＣレコーダの鍵ＩＤを読みとることによってのみ上記ソフトウエアをインストール、および、上記ソフトウエアの起動ができ、そのソフトウエアのもとで特定のＩＣレコーダではない他のＩＣレコーダのカスタマイズを行うことができる。従って、上記ＩＣレコーダのカスタマイズの許可を専用の電子キーを利用することなく、同一機種であるが鍵ＩＤを有する特定のＩＣレコーダを上記電子キーの代用として利用することで限定されたカスタマイズ機能設定を可能にすることができる。
【００５４】
以上、一実施形態に基づいて本発明を説明したが、本発明は、上述した実施形態に限定されるものではなく、本発明の要旨の範囲内で種々の変形や応用が可能であることは勿論である。
【００５５】
例えば、上記一実施形態は、端末に対する所定操作として機能の設定（機能のカスタマイズ）を例に説明したが、それ以外としてデータの再生等の上記携帯情報端末の動作制御、あるいは、ＩＤデータやカスタマイズ情報等のデータ設定等であってもよい。
【図面の簡単な説明】
【００５６】
【図１】本発明の一実施形態である端末操作装置としてのコンピュータ装置であるＰＣに携帯記録端末装置であるＩＣレコーダがＵＳＢ接続された状態を示す図である。
【図２】図１のＩＣレコーダのブロック構成図である。
【図３】図１のＩＣレコーダに内蔵されるシステム制御部の内部メモリ部のメモリマップを示す図である。
【図４】図１のＩＣレコーダにおける録音等の制御処理のメインルーチンのフローチャートである。
【図５】図４のメインルーチンで呼び出されるサブルーチン「ＵＳＢ通信モード」のフローチャートである。
【図６】図１のＰＣにおけるカスタマイズソフトウエアのインストール処理のフローチャートである。
【図７】図１のＰＣにおけるカスタマイズソフトウエアによるカスタマイズ処理のフローチャートの一部を示す図である。
【図８】図１のＰＣにおけるカスタマイズソフトウエアによるカスタマイズ処理のフローチャートの他の一部を示す図である。
【符号の説明】
【００５７】
２０  …ＩＣレコーダ（携帯端末装置）
３０  …ＰＣ（端末操作装置）
３０ａ…制御部（通信制御手段，端末操作手段，
鍵情報検出手段，制御手段）
３０ｂ…外部通信回路（通信手段）
代理人      弁理士    伊  藤    進
【図１】
2005301834.tif 000003
【図２】
2005301834.tif 000004
【図３】
2005301834.tif 000005
【図４】
2005301834.tif 000006
【図５】
2005301834.tif 000007
【図６】
2005301834.tif 000008
【図７】
2005301834.tif 000009
【図８】
2005301834.tif 000010